(57)【要約】一つ以上の剃刀刃を備えた剃刀カートリッジと、シェービング補助具本体と、ハンドルと、ハンドルに回動的に連結された連結機構部と、を含む剃刀組立体が提供される。連結機構部は、剃刀カートリッジ及びシェービング補助具本体がハンドルと相対的に移動可能であるように剃刀カートリッジ及びシェービング補助具本体に連結される。第１の方向における剃刀カートリッジとシェービング補助具本体のうちの一方の移動は、剃刀カートリッジとシェービング補助具本体のうちのもう一方を第１の方向とは実質的に反対である第２の方向へ移動させる。その結果として、シェービング補助具本体及び剃刀カートリッジの位置は、シェービング補助具本体の接触面を剃刀カートリッジ内の剃刀刃の刃先とほぼ同一平面に保つため継続的に調整される。
2005523137.tif 000002
【特許請求の範囲】
【請求項１】
一つ以上の剃刀刃を備えた剃刀カートリッジと、
シェービング補助具本体と、
ハンドルと、
連結機構部と、
を含み、
連結機構部は、剃刀カートリッジとシェービング補助具本体がハンドルと相対的に移動可能であり、剃刀カートリッジとシェービング補助具本体のうちの一方の第１の方向への動きが剃刀カートリッジとシェービング補助具本体のうちのもう一方を第１の方向と実質的に反対方向の第２の方向へ動かすように、剃刀カートリッジ、シェービング補助具本体、及び、ハウジングに連結される、
剃刀組立体。
【請求項２】
当該剃刀組立体は、幅、長さ、及び、高さをさらに含み、
連結機構部は幅方向に延びる軸の周りで回動する連結機構部材を含む、
請求項１記載の剃刀組立体。
【請求項３】
当該剃刀組立体は、幅、長さ、及び、高さをさらに含み、
連結機構部は長さ方向に延びる軸の周りで回動する連結機構部材を含む、
請求項１記載の剃刀組立体。
【請求項４】
ハンドルは内部空洞を含み、連結機構部は内部空洞内に配置される、請求項１記載の剃刀組立体。
【請求項５】
連結機構部は、剃刀カートリッジとシェービング補助具本体のうちの一方又は両方に間接的に連結される、請求項１記載の剃刀組立体。
【請求項６】
シェービング補助具本体は摩滅性があり、シェービング補助具本体は接触面を含み、
連結機構部は、シェービング補助具本体が摩滅するとき、接触面と剃刀カートリッジとの間に所定の姿勢を保つため作動可能である、
請求項１記載の剃刀組立体。
【請求項７】
連結機構部は、剃刀カートリッジとシェービング補助具本体との間に延びる一つ以上の柔軟性のある連結機構部材を含み、
ハンドルに配置された一つ以上のガイド表面は一つ以上の柔軟性のある連結機構部材を案内する、
請求項１記載の剃刀組立体。
【請求項８】
剃刀カートリッジに取り付けられたホルダーと、
シェービング補助具本体に取り付けられてベースと、
をさらに含み、
一つ以上の柔軟性のある連結機構部材のそれぞれの第１の端はホルダーに取り付けられ、一つ以上の柔軟性のある連結機構部材それぞれの第２の端はベースに取り付けられる、
請求項７記載の剃刀組立体。
【請求項９】
一つ以上のガイド表面はハンドル内に一つ以上の溝を形成し、
一つ以上の柔軟性のある連結機構部材は一つ以上の溝内で案内される、
請求項８記載の剃刀組立体。
【請求項１０】
一つ以上の剃刀刃を備えた剃刀カートリッジと、
シェービング補助具本体と、
ハンドルと、
第１の点が第２の点と第３の点との間に配置され、第１の点でハンドルに、第２の点で剃刀カートリッジに、第３の点でシェービング補助具本体に回動的に連結された連結機構部と、
を含む、剃刀組立体。
【請求項１１】
第１の点は第２の点及び第３の点から等距離に位置する、請求項１０記載の剃刀組立体。
【請求項１２】
第１の点は第２の点又は第３の点のうちの一方よりも第２の点又は第３の点のうちのもう一方の近くに位置する、請求項１０記載の剃刀組立体。
【請求項１３】
一つ以上の剃刀刃のそれぞれは刃先を有し、シェービング補助具本体は接触面を有し、
シェービング補助具本体は摩滅性があり、
連結機構部は剃り面をシェービング補助具本体の接触面とほぼ同一平面上に保つため動作可能である、
請求項１０記載の剃刀組立体。
【請求項１４】
当該剃刀組立体は、幅、長さ、及び、高さをさらに含み、
連結機構部は長さ方向に延びる軸の周りで回動する連結機構部材を含む、
請求項１３記載の剃刀組立体。
【請求項１５】
当該剃刀組立体は、幅、長さ、及び、高さをさらに含み、
連結機構部は幅方向に延びる軸の周りで回動する連結機構部材を含む、
請求項１３記載の剃刀組立体。
【請求項１６】
剃刀カートリッジに取り付けられ、連結機構部に回動的に取り付けられたホルダーをさらに含む、請求項１５記載の剃刀組立体。
【請求項１７】
シェービング補助具本体に取り付けられたベースをさらに含む、請求項１６記載の剃刀組立体。
【請求項１８】
ホルダー及び剃刀カートリッジは互いに回動的に取り付けられる、請求項１７記載の剃刀組立体。
【請求項１９】
剃刀カートリッジに取り付けられた少なくとも一つの弓状タブとホルダーに取り付けられた少なくとも一つの弓状タブは、ホルダー及び剃刀カートリッジを回動的に取り付けるため互いに噛み合う、請求項１８記載の剃刀組立体。
【請求項２０】
ホルダーは剃刀カートリッジのホルダーに対する回転を抑える付勢手段をさらに含む、請求項１８記載の剃刀組立体。
【請求項２１】
付勢手段は、ホルダーに取り付けられホルダーから延びる、カンチレバー式スプリング部材を含む、請求項２０記載の剃刀組立体。
【請求項２２】
ホルダーは一対の取付開口を含み、
連結機構部は取付開口でホルダーに回動的に取り付けられる、
請求項１８記載の剃刀組立体。
【請求項２３】
連結機構部は、
第１の部材と、
第２の部材と、
を含み、
第１の部材及び第２の部材は、ベースとホルダーに回動的に取り付けられ、ベースとホルダーとの間に延び、
第１の部材と第２の部材の少なくとも一方はハンドルに回動的に取り付けられる、
請求項１８記載の剃刀組立体。
【請求項２４】
第１の部材及び第２の部材はそれぞれ少なくとも一つのベース回転軸及び少なくとも一つのホルダー回転軸と中央開口とを含む、請求項２３記載の剃刀組立体。
【請求項２５】
ベースは第１の表面から延びる少なくとも二つのタブを含み、各タブは第１の部材又は第２の部材の少なくとも一つのベース回転軸を収容する開口を有し、
第１の部材と第２の部材は共にはさみ型の連結機構部を形成する、
請求項２４記載の剃刀組立体。
【請求項２６】
第１の部材及び第２の部材の中央開口は幅方向に延びる軸に沿って揃えられる、請求項２５記載の剃刀組立体。
【請求項２７】
ハンドルは内部空洞を含み、
連結機構部は内部空洞内に配置される、
請求項２６記載の剃刀組立体。
【請求項２８】
ハンドルは第１の連結機構ポスト及び第２の連結機構ポストをさらに含み、第１の連結機構ポストは第１の部材の中央開口内に収容され、第２の連結機構ポストは第２の部材の中央開口内に収容される、請求項２７記載の剃刀組立体。
【請求項２９】
各連結機構ポストに取り付けられたストップタブをさらに含み、
第１の部材及び第２の部材の中央開口はそれぞれ移動スロットを含む中央フランジ内に配置され、
各ストップタブは第１の部材又は第２の部材の移動スロット内に配置される、
請求項２８記載の剃刀組立体。
【請求項３０】
シェービング補助具本体は、摩滅性があり、長円形の形状であり、中央開口及び接触面を含み、
剃刀カートリッジはシェービング補助具本体の中央開口内に配置される、
請求項１０記載の剃刀組立体。
【請求項３１】
剃刀カートリッジに取り付けられ、連結機構部に回動的に取り付けられたホルダーをさらに含む、請求項３０記載の剃刀組立体。
【請求項３２】
ホルダー及び剃刀カートリッジは互いに回動的に取り付けられる、請求項３１記載の剃刀組立体。
【請求項３３】
シェービング補助具本体に取り付けられたベースをさらに含む、請求項３２記載の剃刀組立体。
【請求項３４】
連結機構部は、
第１の部材と、
第２の部材と、
を含み、
第１の部材及び第２の部材は、ベースとホルダーに回動的に取り付けられ、ベースとホルダーとの間に広がり、
第１の部材と第２の部材の少なくとも一方はハンドルに回動的に取り付けられる、
請求項３３記載の剃刀組立体。
【請求項３５】
第１の部材及び第２の部材はそれぞれ複数のベース回転軸及び少なくとも一つのホルダー回転軸と中央開口とを含む、請求項３４記載の剃刀組立体。
【請求項３６】
ベースはベース回転軸と同数の多数のタブを含み、各タブはベース回転軸のうちの一つを収容する開口を有し、
第１の部材と第２の部材は共にはさみ型の連結機構部を形成する、
請求項３５記載の剃刀組立体。
【請求項３７】
連結機構部は長さ方向に延びる軸の周りを回動する連結機構部材を含み、連結機構部材は第１の突出部及び第２の突出部を含み、
第１の突出部及び第２の突出部は長さ方向に延びる軸の両側に配置される、
請求項１０記載の剃刀組立体。
【請求項３８】
連結機構部材は複数の第１の突出部及び複数の第２の突出部を含む、請求項３７記載の剃刀組立体。
【請求項３９】
剃刀カートリッジ及び連結機構部に回動的に取り付けられたホルダーをさらに含む、請求項３７記載の剃刀組立体。
【請求項４０】
シェービング補助具本体に取り付けられ、連結機構部に回動的に取り付けられたベースをさらに含む、請求項３９記載の剃刀組立体。
【請求項４１】
ベースはホルダーを収容する中央開口を含む、請求項４０記載の剃刀組立体。
【請求項４２】
ベース内でホルダーを案内する手段をさらに含み、
ホルダーはベースの中央開口内に摺動的に収容され、
ベース内でホルダーを案内する手段はホルダーとベースとの間の相対運動を案内する、
請求項４１記載の剃刀組立体。
【請求項４３】
ベース内でホルダーを案内する手段は、はめ合わせ用のオス型形体とメス型形体の少なくとも一つのペアを含み、
オス型形体又はメス型形体の一方はホルダーに取り付けられ、オス型形体又はメス型形体のもう一方はベースに取り付けられ、はめ合わせ用のオス型形体及びメス型形体はホルダーがベースの中央開口内に収容されるときに互いに揃えられる、
請求項４２記載の剃刀組立体。
【請求項４４】
第１の方向で所定の点を越えるホルダーとベースとの間の相対移動を制止する第１の移動止め具、及び、第１の方向とは反対の第２の方向で所定の点を越えるホルダーとベースとの間の相対移動を制止する第２の移動止め具をさらに含み、これにより、ベース及び取り付けられたシェービング補助具ブロックと、ホルダー及び取り付けられた剃刀カートリッジとを一式としての状態に保つように機能する、請求項４２記載の剃刀組立体。
【請求項４５】
連結機構部は、
ベースに選択的に取り付けられ、連結機構部材に回動的に連結された第１のキャリッジと、
ホルダーに選択的に取り付けられ、連結機構部材に回動的に連結された第２のキャリッジと、
をさらに含む、
請求項４１記載の剃刀組立体。
【請求項４６】
第１のキャリッジは、
第１の表面及び第２の表面、ならびに、第１の表面と第２の表面との間に広がる中央開口を有する鍔部と、
第１の突出部を収容する第１の台座と、
第１のキャリッジをベースに選択的に取り付ける一つ以上の選択的に作動可能なクリップと、
を含む、
請求項４５記載の剃刀組立体。
【請求項４７】
第２のキャリッジは第２の突出部を収容する第２の台座を含み、
連結機構部材の回転は、第１の突出部を第１の台座に対して回転させ、取り付けられた第１のキャリッジ、ベース、及び、シェービング補助具本体を第１の方向へ動かし、第２の突出部を第２の台座に対して回転させ、取り付けられた第２のキャリッジ、ホルダー、及び、剃刀カートリッジを第１の方向とは実質的に反対である第２の方向へ動かす、
請求項４６記載の剃刀組立体。
【請求項４８】
第２のキャリッジは、
ホルダーに取り付けられたガイドパネルを収容する少なくとも一つのサドル部と、
サドル部内に設置されたガイドパネルを捕捉する少なくとも一つのクリップと、
をさらに含む、
請求項４７記載の剃刀組立体。
【請求項４９】
少なくとも一つのクリップは、ホルダーの第２のキャリッジへの取り付けを容易にするガイド表面を含む、請求項４８記載の剃刀組立体。
【請求項５０】
第２のキャリッジは第１のキャリッジ内に摺動的に収容され、
連結機構部材は、第１のキャリッジと第２のキャリッジとの間に設置され、第１のキャリッジの第２のキャリッジに対する移動を制限する、
請求項４９記載の剃刀組立体。
【請求項５１】
シェービング補助具本体は、摩滅性があり、長円形の形状であり、中央開口及び接触面を含み、
剃刀カートリッジはシェービング補助具本体の中央開口内に配置される、
請求項４１記載の剃刀組立体。
【請求項５２】
剃刀カートリッジ及び連結機構部に回動的に取り付けられたホルダーをさらに含む、請求項１０記載の剃刀組立体。
【請求項５３】
シェービング補助具本体に取り付けられ、連結機構部に回動的に取り付けられたベースをさらに含む、請求項５２記載の剃刀組立体。
【請求項５４】
ベースはホルダーを収容する中央開口を含む、請求項５３記載の剃刀組立体。
【請求項５５】
ベース内でホルダーを案内する手段をさらに含み、
ホルダーはベースの中央開口内に摺動的に収容され、
ベース内でホルダーを案内する手段はホルダーとベースとの間で相対運動を案内する、
請求項５４記載の剃刀組立体。
【請求項５６】
ベース内でホルダーを案内する手段は、はめ合わせ用のオス型形体とメス型形体の少なくとも一つのペアを含み、
オス型形体又はメス型形体の一方はホルダーに取り付けられ、オス型形体又はメス型形体のもう一方はベースに取り付けられ、はめ合わせ用のオス型形体及びメス型形体はホルダーがベースの中央開口内に収容されるときに互いに揃えられる、
請求項５５記載の剃刀組立体。
【請求項５７】
第１の方向で所定の点を越えるホルダーとベースとの間の相対移動を制止する第１の移動止め具、及び、第１の方向とは反対の第２の方向で所定の点を越えるホルダーとベースとの間の相対移動を制止する第２の移動止め具をさらに含み、これにより、ベース及び取り付けられたシェービング補助具ブロックと、ホルダー及び取り付けられた剃刀カートリッジとを一式としての状態に保つように機能する、請求項５６記載の剃刀組立体。
【請求項５８】
連結機構部は、長さ方向に延びる軸の周りで回動し、少なくとも一つのローラーを具備した連結機構部材を含む、請求項１０記載の剃刀組立体。
【請求項５９】
剃刀カートリッジ及び連結機構部に回動的に取り付けられたホルダーをさらに含む、請求項５８記載の剃刀組立体。
【請求項６０】
シェービング補助具本体に取り付けられ、連結機構部に回動的に取り付けられたベースをさらに含む、請求項５９記載の剃刀組立体。
【請求項６１】
連結機構部は、
ベースに選択的に取り付けられ、連結機構部材に回動的に連結された第１のキャリッジと、
ホルダーに選択的に取り付けられ、連結機構部材に回動的に連結された第２のキャリッジと、
をさらに含む、
請求項６０記載の剃刀組立体。
【請求項６２】
第１のキャリッジは、
第１の表面及び第２の表面、ならびに、第１の表面と第２の表面との間に広がる中央開口を有する鍔部と、
ローラーとの係合用の少なくとも一つの第１のレールと、
第１のキャリッジをベースに選択的に取り付ける手段と、
を含む、
請求項６１記載の剃刀組立体。
【請求項６３】
第２のキャリッジはローラーと係合する少なくとも一つの第２のレールを含み、ローラーは、第１のレールと第２のレールとの間に配置され、第１のレールと第２のレールの両方と係合させられ、
連結機構部材の回転は、ローラーを第１のレール及び第２のレールに対して回転させ、これにより、第１のキャリッジ、ベース、及び、シェービング補助具本体を第１の方向へ移動させ、第２のキャリッジ、ホルダー、及び、剃刀カートリッジを第１の方向とは実質的に反対である第２の方向へ移動させる、
請求項６２記載の剃刀組立体。
【請求項６４】
第２のキャリッジは第１のキャリッジ内に摺動的に収容され、
連結機構部材は第１のキャリッジと第２のキャリッジとの間に配置され、第１のキャリッジの第２のキャリッジに対する移動を制限する、
請求項６３記載の剃刀組立体。
【請求項６５】
第１のレール及び第２のレールは共にラックギアであり、ローラーはラックギアと噛み合うようなサイズをもつ歯車付きローラーである、請求項６３記載の剃刀組立体。
【請求項６６】
一つ以上の剃刀刃を備えた剃刀カートリッジと、
シェービング補助具本体と、
ハンドルと、
回動リンク、第１のキャリッジ、及び、第２のキャリッジを備えた連結機構部と、
を含み、
第１のキャリッジはシェービング補助具本体に連結され、第２のキャリッジは剃刀カートリッジに連結され、
第１のキャリッジ又は第２のキャリッジの一方は第１のキャリッジ又は第２のキャリッジのもう一方内に摺動的に収容され、
回動リンクは、第１のキャリッジと第２のキャリッジとの間に配置され、第１のキャリッジと第２のキャリッジの両方に回動的に連結され、中間点でハンドルに回動的に連結され、
回動リンクの回転は、第１のキャリッジ及び取り付けられたシェービング補助具本体を第１の方向へ移動させ、第２のキャリッジ及び取り付けられた剃刀カートリッジを第１の方向とは反対である第２の方向へ移動させる、
剃刀組立体。
【請求項６７】
中間点は、回動リンクが第１のキャリッジに回動的に連結された第１の点、及び、回動リンクが第２のキャリッジに回動的に連結された第２の点から等距離に位置する、請求項６６記載の剃刀組立体。
【請求項６８】
中間点は、回動リンクが第１のキャリッジ又は第２のキャリッジの一方に回動的に連結された第１の点よりも回動リンクが第１のキャリッジ又は第２のキャリッジのもう一方に回動的に連結された第２の点の近くに位置する、請求項６６記載の剃刀組立体。
【請求項６９】
一つ以上の剃刀刃を備えた剃刀カートリッジと、
シェービング補助具本体と、
ハンドルと、
ハンドル内に配置され、それぞれが剃刀カートリッジに取り付けられた第１の端、及び、シェービング補助具本体に取り付けられた第２の端を有する、一つ以上の柔軟性のある連結機構部材と、
ハンドル内に配置され、一つ以上の柔軟性のある連結機構部材を案内する、一つ以上のガイド表面と、
を含む、剃刀組立体。
【請求項７０】
剃刀カートリッジに取り付けられたホルダーと、
シェービング補助具本体に取り付けられたベースと、
をさらに含み、
一つ以上の柔軟性のある連結機構部材のそれぞれの第１の端はホルダーに取り付けられ、一つ以上の柔軟性のある連結機構部材のそれぞれの第２の端はベースに取り付けられる、
請求項６９記載の剃刀組立体。
【請求項７１】
一つ以上のガイド表面はハンドル内に一つ以上の溝を形成し、
一つ以上の柔軟性のある連結機構部材は一つ以上の溝内で案内される、
請求項７０記載の剃刀組立体。
【請求項７２】
シェービング補助具本体は、摩滅性があり、長円形の形状であり、中央開口及び接触面を有し、
剃刀カートリッジはシェービング補助具本体の中央開口内に配置される、
請求項６９記載の剃刀組立体。
【請求項７３】
一つ以上の剃刀刃を備えた剃刀カートリッジと、
剃刀カートリッジに取り付けられたホルダーと、
シェービング補助具本体と、
シェービング補助具本体に取り付けられたベースと、
を含み、
ベースは中央開口を有し、
ホルダーはベースの中央開口内に摺動的に収容される、
交換カートリッジ。
【請求項７４】
剃刀カートリッジはホルダーに回動的に取り付けられる、請求項７３記載の交換カートリッジ。
【請求項７５】
ベース内でホルダーを案内する手段をさらに含む、請求項７３記載の交換カートリッジ。
【請求項７６】
シェービング補助具本体は、摩滅性があり、長円形の形状であり、中央開口及び接触面を有し、
剃刀カートリッジはシェービング補助具本体の中央開口内に配置される、
請求項７４記載の交換カートリッジ。
【請求項７７】
ベース内でホルダーを案内する手段は、はめ合わせ用のオス型形体とメス型形体の少なくとも一つのペアを含み、
オス型形体又はメス型形体の一方はホルダーに取り付けられ、オス型形体又はメス型形体のもう一方はベースに取り付けられ、はめ合わせ用のオス型形体及びメス型形体はホルダーがベースの中央開口内に収容されるときに互いに揃えられる、
請求項７４記載の交換カートリッジ。
【請求項７８】
ベースに取り付けられた第１の移動止め具及びホルダーに取り付けられた第２の移動止め具をさらに含み、
第１の移動止め具は、第１の方向で所定の点を越えるホルダーとベースとの間の相対移動を制止し、第２の移動止め具は、第１の方向とは反対の第２の方向で所定の点を越えるホルダーとベースとの間の相対移動を制止し、
これにより、ベース及び取り付けられたシェービング補助具ブロックと、ホルダー及び取り付けられた剃刀カートリッジとを一式としての状態に保つように機能する、
請求項７７記載の交換カートリッジ。
【請求項７９】
一つ以上の剃刀刃を備えた剃刀カートリッジと、
剃刀カートリッジに取り付けられたホルダーと、
を含み、
ホルダーは剃刀カートリッジ及び取り付けられたホルダーのハンドルに対する摺動自在の平行移動を可能にさせるため動作可能である、
ハンドルを具備した剃刀組立体用の交換カートリッジ。
【請求項８０】
剃刀カートリッジはホルダーに回動的に取り付けられる、請求項７９記載の交換カートリッジ。
【請求項８１】
ベースをシェービング補助具本体に取り付ける手段と、
中央開口と、
ベースを剃刀組立体に取り付ける手段と、
を含む、剃刀組立体のシェービング補助具本体用のベース。
【請求項８２】
ベースを剃刀組立体に取り付ける手段はベースを剃刀組立体の連結機構部分に取り付ける手段を含む、請求項８１記載のベース。
【請求項８３】
ベースを剃刀組立体の連結機構部分に取り付ける手段は連結機構部をベースと共に回動的に取り付けるため動作可能である、請求項８２記載のベース。
【請求項８４】
中央アパーチャに隣接して配置され、剃刀カートリッジを案内する一つ以上のガイドをさらに含む、請求項８１記載のベース。
【請求項８５】
ホルダーを剃刀カートリッジと共に取り付ける手段と、
ホルダーを剃刀組立体の連結機構部分に取り付ける手段と、
を含む、剃刀組立体の剃刀カートリッジ部分用のホルダー。
【請求項８６】
ホルダーを剃刀カートリッジと共に取り付ける手段は、ホルダーを剃刀カートリッジと共に回動的に取り付けるため動作可能である、請求項８５記載のホルダー。
【請求項８７】
少なくとも一方向で剃刀カートリッジのホルダーに対する回転を抑えるため動作可能である、カートリッジ付勢用部材をさらに含む、
請求項８６記載のホルダー。
【請求項８８】
剃刀組立体のベース部分に対してホルダーを案内する一つ以上のガイドをさらに含む、請求項８５記載のホルダー。
【請求項８９】
刃先がそれぞれに設けられた一つ以上の剃刀刃を備えた剃刀カートリッジと、
接触面を有するシェービング補助具本体と、
ハンドルと、
ハンドルに回動的に取り付けられ、かつ、剃刀カートリッジ及びシェービング補助具本体に回動的に連結された、少なくとも一つの回動部材を具備した連結機構部と、
を含み、
回動部材はシェービング補助具本体の接触面を一つ以上の剃刀刃の刃先とほぼ同一平面上に保つため動作する、
剃刀組立体。
【請求項９０】
カバーと、ハンドルにカバーを取り付ける手段と、をさらに含む請求項８９記載の剃刀組立体。
【請求項９１】
ハンドルにカバーを取り付ける手段は、カバーとハンドルのそれぞれに少なくとも一つずつ取り付けられ、カバーをハンドルに取り付けるため互いに係合するリブを含む、請求項９０記載の剃刀組立体。
【請求項９２】
カバーはしなやかであり、カバーを取り付ける手段はカバーの対向する表面を実質的に互いに向かって圧迫することにより外れる、請求項９１記載の剃刀組立体。
【請求項９３】
カバー及びハンドルは、カバーとハンドルを共に一方向だけで取り付けることができるように互いにはめ合わせるため成形される、請求項９２記載の剃刀組立体。
【請求項９４】
シェービング補助具本体は、摩滅性があり、長円形の形状であり、中央開口及び接触面を有し、
剃刀カートリッジはシェービング補助具本体の中央開口内に配置される、
請求項８９記載の剃刀組立体。
【請求項９５】
少なくとも一つの回動部材は、
剃刀カートリッジに取り付けられた第１の脚部と、
シェービング補助具本体に取り付けられた第２の脚部と、
第１の脚部と第２の脚部との間に広がり、第１の脚部及び第２の脚部に回動的に取り付けられ、第１の脚部が取り付けられた場所と第２の脚部が取り付けられた場所との間の点でハンドルに回動的に取り付けられた中央リンクと、
を含む、請求項８９記載の剃刀組立体。
【請求項９６】
少なくとも一つの回動部材は一対の回動部材を含む、請求項９５記載の剃刀組立体。
【請求項９７】
刃先がそれぞれに設けられた一つ以上の剃刀刃及び第１の表面積を有する剃刀カートリッジと、
第２の表面積をもつ接触面を有するシェービング補助具本体と、
ハンドルと、
ハンドルに回動的に取り付けられ、かつ、剃刀カートリッジ及びシェービング補助具本体に回動的に連結された回動部材を具備する連結機構部と、
を含み、
第２の表面積は第１の表面積よりも大きく、
回動部材はシェービング補助具本体の接触面を一つ以上の剃刀刃の刃先とほぼ同一平面上に保つため動作する、
剃刀組立体。
【請求項９８】
ハンドルと、
ハンドルに選択的に取り付け可能である交換カートリッジと、
を含み、
交換カートリッジは剃刀カートリッジ及びシェービング補助具本体を具備し、
剃刀カートリッジはシェービング補助具本体の中央開口内に摺動的に収容される、
剃刀組立体。
【請求項９９】
シェービング補助具本体の接触面を剃刀カートリッジ内の剃刀刃の一つ以上の刃先とほぼ同一平面上に保つ連結機構部をさらに含む、請求項９８記載の剃刀組立体。
【請求項１００】
ハンドルは、ハンドルに搭載され、ハンドルから交換カートリッジを選択的に取り外すため動作可能である、一つ以上のボタンをさらに含む、請求項９９記載の剃刀組立体。
【請求項１０１】
ハンドルから交換カートリッジを選択的に取り外すため動作可能である一つ以上のボタンをさらに含み、
ボタンは剃刀カートリッジと共に動くように搭載される、
請求項９９記載の剃刀組立体。
【請求項１０２】
第１のキャリッジに取り付けられた剃刀カートリッジと、
第２のキャリッジに取り付けられたシェービング補助具本体と、
ハンドルと、
第１の点が一つ以上の第２の点と一つ以上の第３の点との間に配置され、第１の点でハンドルに、一つ以上の第２の点で第１のキャリッジに、一つ以上の第３の点で第２のキャリッジに回動的に連結された連結機構部と、
を含む剃刀組立体。
【請求項１０３】
連結機構部は複数のリンクを含む、請求項１０２記載の剃刀組立体。
【請求項１０４】
第１のキャリッジは、
複数のリンクを回動的に搭載する複数のリンク開口を有するフレームと、
フレームに回動的に取り付けられ、前記剃刀カートリッジが選択的に取り付けられる一対のアームと、
アームを付勢して剃刀カートリッジと係合させる手段と、
を含む、請求項１０３記載の剃刀組立体。
【請求項１０５】
第１のキャリッジは第２のキャリッジの中央開口内に摺動的に収容され案内される、請求項１０４記載の剃刀組立体。
【請求項１０６】
各アームはハンドルの外側へ延びるアクチュエータステムを含む、請求項１０５記載の剃刀組立体。
【請求項１０７】
ハンドル内に回動的に搭載された連結機構部材と、
シェービング補助具本体に選択的に取り付けられ、連結機構部材に回動的に連結された第１のキャリッジと、
剃刀カートリッジに選択的に取り付けられ、連結機構部材に回動的に連結された第２のキャリッジと、
を含む、ハンドルを有する剃刀組立体用の連結機構装置。
【請求項１０８】
第１のキャリッジは、
第１の表面及び第２の表面、ならびに、第１の表面と第２の表面との間に広がる中央開口を有する鍔部と、
連結機構部材に取り付けられた第１の回動カムを収容する第１のカム台座と、
を含む、
請求項１０７記載の連結機構装置。
【請求項１０９】
第２のキャリッジは、連結機構部材に取り付けられた第２の回動カムを収容する第２のカム台座を含み、
連結機構部材の回転は、第１の回動カムを第１のカム台座に対して回転させ、取り付けられた第１のキャリッジを第１の方向へ動かし、第２の回動カムを第２のカム台座に対して回転させ、取り付けられた第２のキャリッジを第１の方向とは実質的に反対である第２の方向へ動かす、
請求項１０８記載の連結機構装置。
【発明の詳細な説明】
【技術分野】
【０００１】
本発明は、一般的にシェービング装置に係わり、特に一つ以上の剃刀刃の他にシェービング補助具及びそれと共に動作可能である交換カートリッジを含むシェービング装置に関する。
【背景技術】
【０００２】
現在の安全剃刀は、ハンドルに回動式又は固定式に取り付けられたカートリッジ内に配置された複数の剃刀刃を含む。各剃刀刃は、剃り面と接触する刃先を有する。一部の安全剃刀（以下では、剃刀組立体とも称される）は、再利用可能なハンドルと共に使用するための使い捨てカートリッジを有し、別の安全剃刀は、単一の使い捨て型に結合されたハンドル及びカートリッジを有する。剃刀刃は、屡々、シェービング動作を促進するため、剃刀刃の後方に配置されたシェービング補助剤（例えば、潤滑剤、抗力低減剤、脱毛剤、洗浄剤、薬剤、スキンコンディショニング補助剤など）により構成された細長い片状部を含む。ここで使用される用語「前方」及び「後方」は、安全剃刀の形体の間の相対的な位置を規定する。剃刀刃の「前方」の形体は、例えば、剃刀組立体がその予定されたカッティング方向へ滑らされる場合に、剃られる表面が剃刀刃と衝突する前にその形体と衝突するような位置にある（例えば、ガードは典型的に剃刀刃の前方に配置されている。）。剃刀の「後方」の形体とは、剃刀組立体がその意図されたカッティング方向へ滑らされる場合に、剃られる表面が剃刀刃と衝突した後にその形体と衝突するような位置にある形体である（例えば、上記のシェービング補助剤の細長い片状部は剃刀刃の後方に配置されている。）。
【０００３】
殆どの安全剃刀は、シェービング剤と共に用いるため設計されている。シェービング剤（例えば、シェービングクリーム）は、皮膚に塗布され、シェービング動作中に取り除かれるまで、又は、後で洗い落とされるまで、皮膚に残る。シェービング剤は、望ましくは、シェービング動作を促進するが、シェービング剤には望ましくない面がある。例えば、シェービングクリームは、シェービング動作が完了する前に屡々洗い落とされるので、ウェットシェービング環境で現実的ではない。その上、シェービングクリームは、剃刀から独立した品物であり、ユーザが購入し保管することが必要であり、すなわち、２品目以上が浴室に保管される。
【０００４】
したがって、上記の問題を生ずることなく、シェービング剤と共に使用することができる剃刀組立体、及び、シャワー／ウェット環境で使用することができる剃刀組立体が必要である。
【発明の開示】
【発明が解決しようとする課題】
【０００５】
したがって、本発明の目的は、シェービング剤を含む剃刀カートリッジ、及び、シャワー／ウェット環境で使用することができる剃刀カートリッジを提供することである。
【課題を解決するための手段】
【０００６】
本発明によれば、一つ以上の剃刀刃を備えた剃刀カートリッジと、シェービング補助具本体と、ハンドルと、連結機構部と、を含む剃刀組立体が提供される。連結機構部は、剃刀カートリッジ及びシェービング補助具本体がハンドルと相対的に移動可能であるように剃刀カートリッジ及びシェービング補助具本体に直接的又は間接的に連結される。剃刀カートリッジとシェービング補助具本体のうちの一方の第１の方向における移動は、剃刀カートリッジとシェービング補助具本体のうちのもう一方を第１の方向とは実質的に反対である第２の方向へ移動させる。その結果として、剃刀カートリッジのシェービング面及びシェービング補助具本体の接触面は、それらが実質的に同一平面に保たれるように位置的に自動調整される。
【０００７】
本発明の一特徴によれば、交換カートリッジは剃刀組立体と共に使用するため設けられる。
【０００８】
本発明の効果は、本発明により提供されるシェービング補助具本体及び剃刀カートリッジの位置的な自動調整によって得られる使い勝手の良さと安全性である。本発明の連結機構部と、それによって得られる自動調整用動きは、シェービング補助具本体の接触面と剃刀カートリッジ内の剃刀刃の刃先との間の希望の姿勢をシェービング動作中に自動的に維持できるように、シェービング補助具本体と剃刀カートリッジの相対位置を継続的に調整可能にさせる。連結機構部は、剃刀カートリッジとシェービング補助具本体のうちの一方の第１の方向の移動が剃刀カートリッジとシェービング補助具本体のうちのもう一方を第１の方向とは実質的に反対である第２の方向へ移動させるように、剃刀カートリッジ及びシェービング補助具本体に直接的又は間接的に連結される。例えば、シェービング補助具本体の高さ（及び、したがって、接触面の位置）の変化は、剃刀カートリッジ内の剃刀刃の位置に対して自動的に適応させられる。
【０００９】
本発明の別の効果は、シェービング補助剤がシェービング動作中に供給され得る点である。その結果として、シェービング補助具本体内のシェービング補助剤はウェットシェービング環境内でうまく供給し利用することができる。その結果として、シェービングクリーム又はその他のシェービング剤の独立した供給源は取り除かれ、それらに伴う散乱した状態及び取り散らかした状態がなくなる。
【００１０】
本発明の上記及びその他の目的、特徴ならびに効果は、本発明の詳細な説明に照らして明らかになるであろう。
【発明を実施するための最良の形態】
【００１１】
図１及び２を参照すると、本発明の剃刀組立体１０は、剃刀カートリッジ１２と、シェービング補助具本体１４と、ハンドル１６と、連結機構部１９と、を含む。剃刀組立体１０は、幅２０、長さ２２、及び高さ２４を有するものとして説明される。
【００１２】
剃刀カートリッジ１２は、フレーム２８に取り付けられた一枚以上の剃刀刃２６を含む。各剃刀刃２６は、長さ方向に延びる刃先３１を有する。剃刀カートリッジ１２は、後で詳述されるように連結機構部１８に連結される。アプリケーションに応じて、剃刀組立体１２はガード３０を含むことがある。
【００１３】
接触面１５を含むシェービング補助具本体１４は、摩滅性の固体物であり、シェービング動作を促進するため、一つ以上のシェービング補助材料（例えば、潤滑剤、抗力低減剤、脱毛剤、洗浄剤、薬剤、スキンコンディショニング剤など）により構成される。シェービング補助具本体１４は、特定のタイプのシェービング補助材料に限定されることはなく、それどころか、当面のアプリケーションに適応させるため選択的に準備することができる。固体石けん材料は、ウェットシェービング環境で使用するため許容可能なシェービング補助材料の一例である。図１及び２において、シェービング補助具本体１４は、剃刀カートリッジ１２が配置された中央開口１９を有する単一の長円形として表されている。代替的な実施例では、シェービング補助具本体１４は、剃刀カートリッジ１２に隣接した一つ以上のセクション、例えば、前方部、後方部、及び／又は、側方部により構成される。典型的に、しかし、必須的ではなく、シェービング補助具本体１４は、シェービング補助具本体１４を支持するように作られたベースに搭載される。ベースを含まない実施例では、シェービング補助具本体１４は、ベース付きで製造されるか、又は、ベースとは別々に製造され、その後で取り付けられる。後述するように、シェービング補助具本体１４は、交換カートリッジの一部としてベース無しで製造してもよい。本発明のシェービング補助具本体及びベースの例は、参照することによりここに引用される米国仮出願特許第６０／３７５，８４３号に開示されている。
【００１４】
図２に破線で概略的に示された連結機構部１８は、剃刀カートリッジ１２及びシェービング補助具本体１４に連結された少なくとも一つの部材を含む。連結機構部材は、剃刀カートリッジ１２又はシェービング補助具本体１４の一方の第１の方向での動きが、剃刀カートリッジ１２とシェービング補助具本体１４のうちのもう一方を第１の方向とは実質的に反対の第２の方向へ動かすように、剃刀カートリッジ１２、シェービング補助具本体１４、及び、ハンドル１６に連結される。一部の実施例では、連結機構部材は、連結機構部材を剃刀カートリッジ１２に連結する回動点と、連結機構部材をシェービング補助具本体１４に連結する回動点との間にある点（すなわち、ハンドル回動点）でハンドル１６に回動的に連結される。これらの回動点の相対的な位置決めは、剃刀カートリッジ１２とシェービング補助具本体１４を互いに相対的に移動させ、ハンドル１６と相対的に移動させる。前者に関しては、ハンドル回動点の両側に配置されている剃刀カートリッジ１２及びシェービング補助具本体１４の連結機構部材に対する回動点は、剃刀カートリッジ１２及びシェービング補助具本体１４が中心に置かれたハンドル回動点の周りで「シーソーのように動く」。後者に関しては、ハンドル回動点の固定位置は、剃刀カートリッジ１２及びシェービング補助具本体１４をハンドル１６と相対的に移動させる。その結果として、剃られる表面と接触するシェービング補助具本体１４の表面（すなわち、接触面１５）は、剃刀カートリッジ１２内の剃刀刃２６の刃先３１とほぼ同一平面上に保たれる。
【００１５】
連結機構部材と、剃刀カートリッジ１２及びシェービング補助具本体１４との間の回動式連結は、直接的でも間接的でもよい。直接回動式連結の場合、連結機構部材は、剃刀カートリッジ１２及びシェービング補助具本体１４に直接的に連結される。間接連結の場合、一つ以上の媒介部材が連結機構部材と剃刀カートリッジ１２との間に、及び／又は、連結機構部材とシェービング補助具本体１４との間に配置される。例えば、上述されているように、シェービング補助具本体１４は典型的に支持用のベースに搭載される。このような配置では、連結機構部材は、シェービング補助具本体１４に直接的に取り付けられるのではなく、ベース若しくはその他の媒介部材に回動的に取り付けられる。したがって、連結機構部材は、シェービング補助具本体１４に間接的に回動的に連結される。直接的及び間接的連結機構部のさらなる例は後述される。
【００１６】
回動点の相対的な位置決めは、回動的に取り付けられた剃刀カートリッジ１２又はシェービング補助具本体１４の機械的効果及び／又は相対移動量を追加するため操作することが可能である。上記の実施例に示されているように、連結機構部材の一端は剃刀カートリッジ１２に回動的に連結され、連結機構部材の他端はシェービング補助具本体１４に回動的に連結され、ハンドル回動点はそれらの間に位置する。その他の回動点（すなわち、「エンド」回動点）に対するハンドル回動点の相対位置は、回動的に取り付けられた剃刀カートリッジ１２又はシェービング補助具本体１４の機械的効果を与えるため、及び／又は、相対移動量を変更するため選択的に選ばれる。例えば、エンド回動点から等距離に位置するハンドル回動点は、中立的な機械的効果及び相対移動を与えるであろう。ハンドル回動点が一方のエンド回動点へ動かされたとしても、剃刀カートリッジ１２又はシェービング補助具本体１４のうちの一方は機械的効果を得るであろう。その上、相対移動量は異なるであろう。ハンドル回動点とエンド回動点の厳密な相対位置決めは当面のアプリケーションに適合させるため選ぶことが可能である。
【００１７】
別の実施例では（後述の例４を参照せよ）、連結機構部は一つ以上の柔軟部材を含む。各柔軟部材の一端は剃刀カートリッジ１２に連結され、他端はシェービング補助具本体１４に連結される。柔軟部材は、連結機構部材がハンドル１６内に配置された点の周りで移動できるようにハンドル１６内に搭載される。シェービング補助具本体１４又は剃刀カートリッジ１２の一方の動きは、取り付けられた柔軟部材の一部分をその点の周りで移動させ、その結果として、シェービング補助具本体１４又は剃刀カートリッジ１２のもう一方も移動させる。実際上、柔軟部材、シェービング補助具本体１４、及び、剃刀カートリッジ１２は、すべてハンドル１６と相対移動する。その結果として、剃られる表面と接触するシェービング補助具本体１４の表面（すなわち、接触面１５）は、剃刀カートリッジ１２内の剃刀２６の刃先３１とほぼ同一平面上に保たれる。
【００１８】
ここで使用されている用語「ほぼ同一平面」は、剃られる表面（例えば、しなやかな皮膚）をシェービング補助具本体１４の接触面１５及び剃刀刃２６の刃先３１と接触させることができるシェービング補助具本体１４と剃刀カートリッジ１２のありとあらゆる相対位置を記述するため使用される。
【００１９】
シェービング補助具本体接触面１５の面積は、剃られる表面と接触させるための剃刀カートリッジ１２の表面積（以下では、剃刀カートリッジ接触表面積と称される）に対して選択的にサイズが決められる。シェービング動作中に、ユーザは剃刀組立体を剃られる表面に押し付ける。圧力（表面積当たりの力）と呼ばれるこの力は、シェービング補助具本体１４と剃刀カートリッジ１２に均一に加えられる。接触面１５の表面積と剃刀カートリッジ表面積が等しいならば、ユーザによってシェービング補助具本体１４及び剃刀カートリッジ１２に加えられる力も同様に等しくなる。これに対して、接触面１５の表面積が剃刀カートリッジ１２の表面積を上回るならば、シェービング補助具本体１４を介して連結機構部１８へ伝達される力は剃刀カートリッジ１２を介して連結機構部１８へ伝達される力を超える。その結果として、剃刀カートリッジ１２は剃られる表面の方へ付勢される。したがって、シェービング補助具本体接触面１５の表面積は、希望の結果を生ずるため、剃刀カートリッジ接触面と相対的なサイズが選択的に決められる。
【００２０】
接触面１５の表面積と剃刀カートリッジ接触面の表面積の相対的なサイジングは、機械的効果を打ち消すため、又は、機械的効果を加えるために、上記のハンドル回動点及びエンド回動点の相対的な位置決めと組み合わせて選択的に選ばれる。
【００２１】
ハンドル１６は、柄、又は、内部空洞１７を有する本体、又はそれらのある種の組み合わせを含み得るが、これらに限定されるものではない。好ましいハンドル１６は、連結機構部１８を、ある種の例では、シェービング補助具本体１４の一部分を収容するための内部空洞１７を備えた人間工学に基づく本体を含む。この人間工学に基づく本体の形状は剃刀組立体を使い易くする。上述のように、ハンドル１６は少なくとも一つの連結機構部材への回動式連結部を含む。
【００２２】
図１を参照するに、一部の実施例では、剃刀組立体１０はハンドル１６に取り付けられるカバー１１０を含む。カバー１１０は、シェービング補助具本体１４及び剃刀カートリッジ１２を囲むようにサイズが決められる。カバー１１０及びハンドル１６は、好ましくは、カバー１１０の取り付けが一方向だけで可能になるよう互いに結合させるため成形される。例えば、カバー１１０とハンドル１６は対称的に成形してもよく、又は、対称的な形体を備えていてもよい。カバー１１０をハンドル１６に取り付ける手段１１２が設けられ、ユーザはカバー１１０を選択的に着脱することが可能である。図１に示されたカバー１１０をハンドル１６に取り付ける手段１１２は、例えば、ハンドル１６に取り付けられた一対のリブ１１６と協働するカバー１１０に取り付けられた一対のリブ１１６を含む。リブ１１４、１１６は、カバー１１０をハンドル１６に挟むため互いに協働する。図１に示された実施例では、リブ１１４、１１６は、カバー１１０及びハンドル１６のそれぞれの長さ方向に延びる表面１１８に沿って配置される。カバー１１０はしなやかであり、カバー１１０の幅方向に延びる表面１２０に印加された（すなわち、幅方向に延びる表面１２０を互いに圧迫する）力がリブ１１４、１１６を互いに解放し、これにより、カバー１１０がハンドル１６から取り外せるように成形される。カバー１１０をハンドル１６に固定する他の配置を代わりに使用してもよい。カバー１１０は、液体をカバー１１０から排出することができる少なくとも一つの穴１２２をさらに含む。カバーに二つ以上の穴１２２を配置することにより、カバー１１０は二箇所以上で排出できるようになる。
【００２３】
本発明の重要な有用性を説明するため、以下では、本発明の完全な理解を可能にさせるため特定の実施態様の例が列挙される。これらの例は典型例であり、本発明の考えられるあらゆる実施例を表現するものではない。
【００２４】
［例１］
図１乃至８に示された実施例では、剃刀カートリッジ１２と、シェービング補助具本体１４と、ハンドル１６と、ハンドル１６に回動的に連結された連結機構部１８とを含む剃刀組立体１０が設けられる。
【００２５】
図３を参照すると、剃刀カートリッジ１２は、フレーム２８に取り付けられた複数の剃刀刃２６及びガード３０を含む。剃刀カートリッジ１２は、カートリッジ１２の長さ方向のそれぞれの端でホルダー３６に回動的に取り付けられる。ホルダー３６は、一対の取付開口と、カートリッジ付勢用部材４０とを含む。ホルダー３６及び剃刀カートリッジ１２は、長さ方向の各端にある弓状の形体４１、４２のペア（例えば、タブ）をはめ合わせることによって相互に回動的に取り付けられる。この弓状の形体４２、４１は、ホルダー３６に対する剃刀カートリッジ１２の回動パスを画成する。物理的な止め具４４が剃刀カートリッジ１２とホルダー３６との間の回動運動を制限するため設けられる。カートリッジ付勢用部材４０は、ホルダー３６から延び、剃刀カートリッジ１２を所定の位置に付勢する。カートリッジ付勢用部材４０は、剃刀カートリッジ１２のホルダー３６に対する回転を抑える。
【００２６】
取付開口３８に隣接させて配列された一対のリリーフスロット４５は剃刀カートリッジ１２をホルダー３６に組み付ける間に、ホルダー３６が（例えば、止め輪タイプのツールを使用して）弾性的に内側へ曲がることを可能にさせる。剃刀カートリッジ１２及びホルダー３６の回動式取り付け形体４２、４１が互いに整列されると、ホルダー３６は解放され、形体４２、４１は剃刀カートリッジ１２とホルダー３６との間に回動式取り付け機構を形成するため結合する。
【００２７】
図４を参照すると、シェービング補助具本体１４は長円形に成形され、接触面１５と、剃刀カートリッジ１２を収容する中央開口１９とを有する。シェービング補助具本体１４は、インサート成形、インサートモールディング、ボンディング、機械的形体などのような取り付け手段によってベース５０に取り付けられる。ベース５０は、上面５１、下面５３、上面５１と下面５３との間に広がる中央開口５２、及び、下面５３から延びる４個の取付タブ５４を含む。一対の取付タブ５４は、ベース５０の長さ方向の各端に位置し、その対のうちの各タブ５４は、相互に幅方向に離されている。各タブ５４は開口５６を含み、長さ方向の各端にある対の開口５６は互いに軸方向に揃えられている。各開口５６の形状（例えば、円形、楕円形、細長い形など）は、後述するように連結機構部の動きに合うように選択される。図４に示された実施例では、取付タブ５４は中央開口５２と同じ平面になる。
【００２８】
図５乃至８を参照すると、連結機構部１８は、ホルダー３６とベース５０との間に広がり、ホルダー３６とベース５０に回動的に連結された第１の部材５８及び第２の部材６０を含む。第１及び第２の部材５８、６０はまたハンドル１６に回動的に連結される。本実施例は、剃刀カートリッジ１２及びシェービング補助具本体１４に間接的に回動的に連結された連結機構部の例である。本実施例はまた幅方向に延びる軸６２周りに回動する連結機構部を例示する。
【００２９】
第１及び第２の連結機構部材５８、６０のそれぞれは、一対のベース回転軸６４と、ホルダー回転軸６６と、中央フランジ７０に設けられた中央開口６８と、を含む。ベース回転軸６４は、一対のベースタブ５４内に設けられた開口５６内に収容できるようにサイズが決められ、間隔が設けられる。ホルダー回転軸６６は、ホルダー３６内に設けられた取付開口３８の一方内に収容できるようにサイズが決められ、間隔が設けられる。図示された実施例では、中央フランジ７０は、後述するように、ハンドル１６の内側から延びるスロットタブ７６を収容する張り出しスロット７２を含む。各連結機構部材５８、６０の張り出しスロット７２は、その連結機構部材の回動式移動を制限する。組立体として、第１及び第２の連結機構部材５８、６０は、ベースとホルダー３６との間に広がるはさみタイプの連結機構部を形成し、その動きは「剃刀組立体の動作」において詳細に後述される。図８を参照すると、ハンドル１６は、少なくともホルダー３６、連結機構部１８及びベース５０を部分的に収容する内部空洞１７を含む。ハンドル１６の外装は、剃刀組立体１０を使い易くするため人間工学に基づいて成形される。ハンドル１６は、一対の連結機構ポスト７４を含み、それぞれは、もう一方へ向かって空洞１７に延び、それぞれは互いに揃えられる。各連結機構ポスト７４は、上述のように、連結機構部中心フランジ７０の張り出しスロット７２内に収容するためのステップタブ７６を含む。連結機構ポスト７４及び連結機構部中心開口６８はハンドル回動点を形成する。組み立てられたとき、ある種の実施例における連結機構ポスト７４、中心フランジ７０、及び／又は、ホルダー３６（又は、それらの一部の組み合わせ）のサイジングは、僅かな締まりばめを形成するため積み重なる。締まりばめは、剃刀カートリッジ１２とシェービング補助具本体１４との間の動きを僅かに妨げるが、阻止しない。その結果として、剃刀カートリッジ１２とシェービング補助具本体１４の相対位置を保つことができる。
【００３０】
１）ベース回転軸６４とベースとの間、２）ホルダー回転軸６６とホルダー３６との間、ならびに、３）連結機構ポスト７４と連結機構部材５８、６０との間の回動式連結は、オス型とメス型のペアを対にするという点で既に説明されている。代替的な実施例では、はめ合わせ用のオス型／メス型のペアのオス型半分を有するような上記の素子はそのペアのメス型半分を組み込むことが可能であり、その逆もまた可能であり、或いは、その他のタイプの回動式配置も可能である。上述のように、シェービング補助具本体１４、ベース５０、剃刀カートリッジ１２、ホルダー３６及び連結機構部１８は、交換可能なパッケージとして、ハンドル１６に挿入しハンドル１６から取り外すことができる独立した組立体として予め組み立てることが可能である。或いは、シェービング補助具本体１４と、ベース５０と、剃刀カートリッジ１２と、ホルダー３６のうちの一つ以上を独立した交換カートリッジ、又は、それらの組み合わせから形成可能な交換カートリッジとして設けてもよい。例えば、シェービング補助具本体１４は、独立した交換可能なカートリッジとして設けられ、又は、交換可能なカートリッジとしてベース５０と組み合わされる。シェービング補助具本体１４が独立した交換可能なパッケージとして提供されるならば、機械的又はその他のタイプの取り付け手段がシェービング補助具本体をベース５０へ取り付けるため使用できる。参照することによってここに引用される米国仮特許出願第６０／３７５，８４３号は、このような交換可能なカートリッジを開示する。別の例として、剃刀カートリッジ１２及びホルダー３６はまた交換可能なカートリッジとして組み合わせることが可能である。
【００３１】
［例２］
図１、２及び９−２２に示された実施例では、剃刀カートリッジ１２、ホルダー７８、シェービング補助具本体１４、ベース８０、ハンドル１６、及び、ハンドル１６に回動的に連結された連結機構部１８を含む剃刀組立体１０が設けられる。
【００３２】
図２、９−１３、１５及び１６を参照すると、剃刀カートリッジ１２は、フレーム２８に取り付けられたガード３０及び複数の剃刀刃２６を含む。剃刀カートリッジ１２は、カートリッジの長さ方向の各端でホルダー７８に回動的に取り付けられる。ホルダー（図１３を参照せよ）は、複数のガイドパネル８４と、一対の組立開口８６と、カートリッジ付勢用部材８８とを含む。図１０−１３に示された実施例では、ホルダー７８及び剃刀カートリッジ１２は、長さ方向の各端で弓形の形状の形体９０、９１のペア（例えば、タブ）をはめ合わせることにより互いに回動的に取り付けられる。形体９１、９０の弓形の形状は、剃刀カートリッジ１２のホルダー７８に対する回動パスを画成する。剃刀カートリッジ１２をホルダー７８に回動的に取り付けるその他の方式を使用しても構わない。組立開口８６と、組立開口に隣接させて配置された一対のリリーフスロット９２は、剃刀カートリッジ１２のホルダー７８への組み付け中に、ホルダー７８が内側へ弾性的に曲がることを可能にする。剃刀カートリッジ１２とホルダー７８の回動式取り付け形体９１、９０が互いに揃えられると、ホルダー７８は解放され、形体９１、９０は剃刀カートリッジ１２とホルダー７８との間に回動式取り付け機構を形成するため一体になる。リリーフスロット９２内に設けられた一つ以上のバンパー９４は、ホルダー７８が曲がる量を制限する。カートリッジ付勢用部材８８は、ホルダー７８から延び、剃刀カートリッジ１２を所定の位置へ付勢する。カートリッジ付勢用部材８８は、ホルダー７８に対する剃刀カートリッジ１２の回転を抑える。
【００３３】
図１３を参照すると、一対のガイドパネル８４がホルダー７８の一方側に設けられ、単一のガイドパネル８４がホルダー７８の反対側に設けられる。ホルダー７８の両側において非対称的なガイドパネル８４の数及び位置は、ホルダー７８及びベース８０が後述するように一方向でしか組み立てられないことを保証する。各ガイドパネル８４はレール９８及び止め具１００を含む。止め具１００は、レール９８から延び、レール９８に対しほぼ垂直である。ガイドパネル８４に加えて、ホルダー７８は、ホルダー７８の長さ方向の各端にエンドガイド１０４をさらに含む。エンドガイド１０４は、ホルダー７８の長さ方向の各端からある短い距離だけ内向きに一対のフランジ１０６を含む（図９、１１及び１４を参照）。剃刀カートリッジ１２に隣接した「Ｔ字形」の各エンドガイド１０４の高さ方向の端に、一つ以上のストップタブ１０８（図９及び１１を参照）がエンドガイド１０４に沿った移動を制限するため配置される。
【００３４】
図９−１２及び１４−１７を参照すると、シェービング補助具本体１４は長円形の形状であり、接触面１５と、剃刀カートリッジ１２を収容する中央開口１９とを含む。シェービング補助具本体１４は、インサート成形、インサートモールディング、ボンディング、機械的形体などのような取り付け手段によってベース８０に取り付けられる。ベース８０は、上面１１４、下面１１６、上面１１１４と下面１１６との間に広がる中央開口１１８、複数の幅方向のガイド溝１２０（図１８を参照）、複数のエンドガイド溝１２２、ホルダー７８を保持する一つ以上の形体１２４、ならびに、交換可能なカートリッジ１２８をハンドル１６へ連結する一つ以上の形体１２６を含む。中央開口１１８はホルダー７８を収容するようにサイズが決められる。幅方向ガイド溝１２０及びエンドガイド溝１２２は、それぞれ、ホルダー７８に取り付けられたガイドパネル８４及びエンドガイド１０４と一体になるよう成形される。はめ合わせ用のオス型／メス型のペア（例えば、ガイドプレート８４と幅方向ガイド溝１２０、エンドガイド１０４とエンドガイド溝１２２）のオス型半分を有するような上記の素子はそのペアのメス型半分を組み込むことが可能であり、その逆もまた可能であり、或いは、それらの一部の組み合わせも可能である。はめ合わせ用のオス型とメス型のペア（例えば、ガイドプレート８４と幅方向ガイド溝１２０、エンドガイド１０４とエンドガイド溝１２２）は、ベース８０の中央開口１１８内でホルダー７８を案内する手段を実現する。
【００３５】
図９−１２及び１４−１６に示された実施例では、一対のガイド溝１２０は中央開口１１８の幅方向エッジに隣接して設置され、単一のガイド溝１２０は中央開口１１８の反対側の幅方向エッジに隣接して設置される。ガイド溝１２０はホルダー７８のガイドパネル８４と揃うように配置される。上記のように、ホルダー７８の両側のガイドパネル８４及びガイド溝１２０の数と位置は、好ましくは、ホルダー７８及びベース８０が単一の姿勢だけで組み立てることができるように選択される。エンドガイド溝１２２は、中央開口１１８の長さ方向の各端に設置され、ホルダーエンドガイド１０４と整列し、ホルダーエンドガイド１０４を収容するような位置に置かれる。固定フランジ１３０は、中央開口１１８の長さ方向の各端に隣接したベース８０の下面１１６から延びる。各固定フランジ１３０は、ホルダー７８を保持する一つ以上の形体１２４と、交換可能なカートリッジ１２８をハンドル１６へ連結する一つ以上の形体１２６と、を含む。図示された実施例では、ホルダー７８を保持する一つ以上の形体１２４は、固定フランジ１３０から中央開口へ向かって延びる一対のタブ１３２により構成される。タブ１３２はエンドガイド溝１２２によって互いに隔離され、ホルダー７８に取り付けられたストップタブ１０８のパスに配置される。交換可能なカートリッジ１２８をハンドル１６へ連結する形体１２６は、後述するようにクリップ１５４を収容する各固定フランジ１３０に設けられた開口１３４により構成される。ホルダーを保持する形体１２４及び交換可能なカートリッジ１２８を連結する形体１２６は、上記の実施例に示されたタブ１３２の実施例及び開口１３４の実施例に限定されない。
【００３６】
したがって、剃刀カートリッジ１２、シェービング補助具本体１４、ホルダー７８、及び、ベース８０により構成された交換可能なカートリッジ１２８は、ハンドル１６に着脱可能である単一の組立体として組み立てることが可能である。シェービング補助具本体１４はベース８０に取り付けられ、剃刀カートリッジ１２はホルダー７８に回動的に取り付けられる。ホルダー７８及びベース８０は、ガイドパネル８４、幅方向ガイド溝１２０、エンドガイド１０４、及びエンドガイド溝１２２によって互いに摺動的に係合される。ホルダー７８とベース８０との間の動きは、ホルダー７８に取り付けられたストップタブ１０８と、ベース固定フランジ１３０に取り付けられたタブ１３２とによって、移動の片方の端で制限される。ホルダー７８とベース８０との間の動きは、ベース中央開口１１８の幅方向エッジと交差するガイドパネル８４に取り付けられた止め具１００によって移動の反対側の端で制限される。或いは、シェービング補助具本体１４とベース８０と剃刀カートリッジ１２とホルダー７８のうちの一つ以上は、独立した交換カートリッジ、又は、それらの組み合わせから形成された交換カートリッジとして設けることが可能である。例えば、上記の実施例への代替実施例は、ＳＡＢキャリッジ１３８に取り付けられた、若しくは、ＳＡＢキャリッジ１３８と一体的に形成されたベース８０を利用可能である。これらの実施例では、ベース８０は、使い捨て交換品として連結機構部１８から取り外すことが予定されず、シェービング補助具本体１４は、必要に応じてベース８０に選択的に着脱することができる交換品である。
【００３７】
図９−１２及び１７−２２を参照すると、連結機構部１８は、連結機構部材１３６と、シェービング補助具本体キャリッジ１３８（ＳＡＢキャリッジ）と、剃刀カートリッジキャリッジ１４０（ＲＣキャリッジ）とを含む。以下では回動リンク１３６と称される連結機構部材（図１９を参照）は、少なくとも一つの長さ方向に延びるハンドル回動軸１４２と、第１の突出部１４４と、第２の突出部１４６とを含む。第１の突出部１４４は長さ方向に延びる軸１４８の第１の側に配置される。第２の突出部１４６は長さ方向に延びる軸１４８の第１の側とは反対側の第２の側に配置される。図１９に示された実施例では、回動リンク１３６は、複数の第１の突出部１４４と複数の第２の突出部１４６を有する。
【００３８】
図２０及び２１を参照すると、ＳＡＢキャリッジ１３８は、中央開口１５２を有する鍔部１５０と、一つ以上の選択的に作動可能な止めクリップ１５４（図９及び１１を参照）と、一対のエンドパネル１６２と、中央パネル１６４と、少なくとも一つの台座１５６とを含む。鍔部１５０は、ベース８０とシェービング補助具本体１４を支持するためサイズが決められる。エンドパネル１６２及び中央パネル１６４は、鍔部１５０から中央開口１５２の周りへ延びる。一つ以上の選択的に差動可能な止めクリップ１５４（図９を参照）は、鍔部１５０に回動的に搭載される。止めクリップ１５４は、ベース８０の固定フランジ１３０内に配置された開口１３４を係合するため設置される。クリップ１５４はベース８０を、したがって、交換可能なカートリッジ１２８を連結機構部１８へ選択的に取り付けるため動作可能である。止めクリップ１５４は、ベース８０の固定フランジ１３０内に配置された開口１３４と係合するように止めクリップを付勢する付勢手段１６６を含む。止めクリップ１５４は、ある種の場合には、ユーザが止めクリップ１６４をハンドル１６の中に直接押し込むことにより、ベース８０との係合を失って選択的に回動可能である。その他の場合に、止めクリップ１５４は、ハンドル１６に搭載され止めクリップ１５４を係合するボタン１６８のようなものによって間接的に作動することができる。図９に示された実施例では、ボタン１６８はハンドル１６に搭載されるので、ボタン１６８は、ＳＡＢキャリッジ１３８のハンドル１６に対する相対的な場所に依存して異なる点で止めクリップ１５４を係合する。台座１５６は、中央パネル１６４から延びる対向したタブ１７０のペアを含む。
【００３９】
図２２を参照すると、ＲＣキャリッジ１４０は、一つ以上のサドル部１５８と、少なくとも一つの台座１６０と、中央パネル１７２と、一対の側方パネル１７４とを含む。各サドル部１５８は、ホルダー７８に取り付けられたガイドパネル８４を収容する位置で中央パネル１７２から延びる。各サドル部１５８は、ホルダー７８のそれぞれのガイドパネル８４を捕捉する止めクリップ１７８を含む。止め具リップ１７８は、取り付けを容易にするためガイド表面１５９を含む。各台座１６０は、中央パネル１７２から延びる対向したタブ１７６のペアを含む。高さ１８２を有する移動スロット１８０は各側方パネル１７４に設けられる。
【００４０】
回動リンク１３６とＳＡＢキャリッジ１３８とＲＣキャリッジ１４０との間の回動式配置は、図１０、１２及び１８に明瞭に示されている。ＲＣキャリッジ１４０の中央パネル１７２及び側方パネル１７４は、ＳＡＢキャリッジ１３８内のエンドパネル１６２及び中央パネル１６４内に摺動的に配置される。回動リンク１３６はＳＡＢキャリッジ１３８とＲＣキャリッジ１４０との間に配置される。特に、第１の突出部１４４はＳＡＢキャリッジ１３８に取り付けられた対向するタブ１７０のペア内に収容され、第２の突出部１４６はＲＣキャリッジ１４０に取り付けられた対向するタブ１７６のペアの間に収容される。以下の「剃刀組立体の動作」で詳述するように、連結機構部材１３６の回転は、第１の突出部１４４を台座１５６と相対的に回動させ、ＳＡＢキャリッジ１３８を第１の方向へ移動させ、第２の突出部１４６を対応した台座１６０と相対的に回動させ、ＲＣキャリッジ１４０を第１の方向とは実質的に反対である第２の方向へ移動させる。
【００４１】
代替的な実施例では、回動リンク１３６は、幅方向に延びる配置に並べてもよく、例えば、回動リンク１３６は図９−１２に示された姿勢に対して実質的に垂直に配置され、台座１５０、１６０は突出部１４４、１４６を収容するため位置付けられる。
【００４２】
図１、９及び１１を参照すると、本実施例では、ハンドル１６は、連結機構部１８を収容するように、ある種の例では、ホルダー７８の部分及びベース８０の部分も収容するように寸法を定められた内部空洞１７を含む。ハンドル１６の外装は、剃刀組立体１０を使い易くするために人間工学に基づいて成形される。ハンドル１６は、ハンドル回動軸１４２を収容するように位置付けられサイズが定められた一対の座面１８４を含む。一部の実施例では、上記のコンポーネント（例えば、ホルダー７８、ベース８０、ＳＡＢキャリッジ１３８、及び／又は、ＲＣキャリッジ１４０）の一部又は全部のサイジングは、これらのコンポーネントが組み立てられたとき、僅かな締まりばめを形成するため積み重なる。締まりばめは、剃刀カートリッジ１２とシェービング補助具本体１４との間の動きを僅かに妨げるが、阻止しない。その結果として、剃刀カートリッジ１２とシェービング補助具本体１４の相対位置を保つことができる。
【００４３】
［例３］
図２３及び２４に示された実施例では、例２に記載された剃刀組立体と類似した剃刀組立体１０は異なる連結機構部を有する。本実施例において、連結機構部１８は、連結機構部材１９０、シェービング補助具本体キャリッジ１３８（ＳＡＢキャリッジ）及び剃刀カートリッジキャリッジ１４０（ＲＣキャリッジ）を含む。以下では回動リンク１９０と称される連結機構部材１９０は、少なくとも一つの長さ方向に延びるハンドル回動軸１４２と一対の回動ローラー１９２を含む。
【００４４】
ＳＡＢキャリッジ１３８は、台座１５６の代わりに一対のローラーレール１９４を含む点を除いて、例２に記載されたたＳＡＢキャリッジと類似している。ＲＣキャリッジ１４０はまた、台座１６０の代わりに一対のローラーレール１９６を含む点を除いて、例２に記載されたＲＣキャリッジと類似している。
【００４５】
回動リンク１９０の回動ローラー１９２と、ＳＡＢキャリッジ１３９及びＲＣキャリッジ１４０のローラーレール１９４、１９６とは、以下に説明するような態様で機能する相補的な形体を有する。例えば、回動ローラー１９２は、線形ローラーレール１９４、１９６に配置された歯と噛み合う円形歯車でもよい。別の例では、回動ローラー１９２は、ローラーレール１９４、１９６に配置されたしなやかな材料（例えば、ゴムタイプの材料）を確実に噛み合わせる突出部（例えば、半円形状のボタン）をローラー１９２の周りに間隔を空けて具備してもよい（或いは、その逆でもよい）。別の実施例では、回動ローラー１９２及び／又はローラーレール１９４、１９６は、互いに摩擦的に係合する材料を含む。上記の例は、回動ローラー１９２及びローラーレール１９４、１９６と共に使用することができ、以下の「剃刀組立体の動作」に記載されているようにそれらを相互作用させることができる種々の形体を表す。しかし、本発明はこれらの例に限定されない。
【００４６】
回動リンク１９０とＳＡＢキャリッジ１３８とＲＣキャリッジ１４０との間の回動式配置は図２３及び２４に明瞭に示されている。ＲＣキャリッジ１４０の中央パネル１８２及び側方パネル１７４は、ＳＡＢキャリッジ１３８のエンドパネル１６２と中央パネル１６４の内側に摺動的に配置される。回動リンク１９０はＳＡＢキャリッジ１３８とＲＣキャリッジ１４０との間に配置される。特に、回動ローラー１９２は、ローラー１９４と１９６の間に配置され、ローラー１９４、１９６と係合される。「剃刀組立体の動作」で後述されるように、連結機構部材１９０の回転は、回廊ローラー１９２を回転させ、ＳＡＢキャリッジ１３８を第１の方向へ移動させ、ＲＣキャリッジ１４０を第１の方向と実質的に反対である第２の方向へ移動させる。
【００４７】
代替的な実施例では、回動軸１４２は、幅方向に延びる配置で並べることが可能であり、例えば、回動ローラー１９２は図２３及び２４に示された姿勢に対して実質的に垂直に配置され、ローラーレール１９４、１９６は回動ローラー１９２を係合するため位置付けられる。
【００４８】
本例においてハンドル１６（図１を参照）は、例２に記載されたハンドルと類似しているので、ここでは再度説明されない。
【００４９】
［例４］
図２５に概略的に示された別の実施例では、剃刀カートリッジ１２、ホルダー１９８、シェービング補助具本体１４、ベース２００、ハンドル１６、及び、ハンドル１６内に搭載された連結機構部１８を含む剃刀組立体１０が提供される。ホルダー１９８は、ライン２０２として表された移動パスと実質的に平行である直線運動を可能にさせるため摺動的に搭載され案内される。シェービング補助具本体１４は、長円形の形状であり、接触面１５と、剃刀カートリッジ１２を収容する中央開口１９とを有する。シェービング補助具本体１４は、インサート成形、インサートモールディング、ボンディング、機械的形体などの取り付け手段によってベース２００に取り付けられる。ベース２００は、ホルダー１９８及び／又は連結機構部１８を収容する中央開口２０４を含む。ベース２００は、ライン２０２と実質的に平行である方向に直線運動を可能にさせるため摺動的に搭載され案内される。
【００５０】
図２５を参照すると、連結機構部１８は、ホルダー１９８とベース２００との間に延びる一対の連結機構部材２０６、２０８を含む。各連結機構部材２０６、２０８は、一端でホルダー１９８に、他端でベース２００に直接的又は間接的に取り付けられた柔軟性のあるバンドである。図２５に示されたこの実施例は、例えば、ホルダー１９８及びベース２００に取り付けられ、したがって、剃刀カートリッジ１２及びシェービング補助具本体１４に間接的に連結された連結機構部材２０６、２０８を表す。柔軟性のある連結機構部材２０６、２０８は、連結機構部材２０６、２０８がハンドル１６に設けられた点の周りで回動できるようにハンドル内１６に搭載される。ガイド表面２１０は、例えば、第１の溝２１２及び第２の溝２１４を形成する。各連結機構部材２０６、２０８は溝２１２、２１４の一方に収容される。各溝２１２、２１４のガイド表面２１０の間のギャップ２１６（すなわち、溝の幅）は、連結機構部材２０６、２０８が拘束されることなく溝の中を移動するために十分な大きさのサイズであり、溝２１２、２１４内で端から端へ著しく撓むことを防止することができる程度に小さいサイズである。後述されるように、溝２１２、２１４を通る連結機構部材２０６、２０８の移動は、ホルダー１９８と取り付けられた剃刀カートリッジ１２を第１の方向へ移動させ、ベース２００及び取り付けられたシェービング補助具本体１４を第１の方向とは実質的に反対である第２の方向へ移動させる。
【００５１】
組み立てられたとき、上記のコンポーネント（例えば、ホルダー１９８、ベース２００、連結機構部材２０６、２０８）のうちの一つ以上は、少なくとも部分的に僅かな締まりばめになる。締まりばめは、剃刀カートリッジ１２とシェービング補助具本体１４との間の動きを僅かに妨げるが、阻止することはない。その結果として、剃刀カートリッジ１２とシェービング補助具本体１４の相対位置を保つことができる。
【００５２】
例１−３で説明したように、シェービング補助具本体１４、ベース２００、剃刀カートリッジ１２、及び、ホルダー１９８のうちの一つ以上は、独立した交換可能なカートリッジとして、又は、それらの組み合わせの形をした交換カートリッジとして実現し得る。
【００５３】
［例５］
図２６及び２７に概略的に示された別の実施例では、剃刀組立体１０は、ホルダー２２０、シェービング補助具本体１４、ベース２２２、ハンドル１６、ハンドル１６内に搭載された連結機構部１８を含む。剃刀カートリッジ１２はホルダー２２０に取り付けられる。ホルダー２２０は、ライン２２４として表された移動パスと実質的に平行である直線運動を可能にさせるため、摺動的に取り付けられ案内される。シェービング補助具本体１４は上記のものと類似し、例えば、それは、長円形の形状であり、接触面１５と、剃刀カートリッジ１２を収容する中央開口１９とを有する。シェービング補助具本体１４は、インサート成形、インサートモールディング、ボンディング、機械的形体などの取り付け手段によってベース２２２に取り付けられる。ベース２２２は、ホルダー２２０及び／又は連結機構部１８を収容する中央開口２２６を含む。ベース２２２は、ライン２２４と実質的に平行である方向に直線運動を可能にさせるため摺動的に搭載され案内される。
【００５４】
連結機構部１８は、シェービング補助具本体１４と剃刀カートリッジ１２５との間に直接的又は間接的に延びる少なくとも一つの連結機構部材２２８、２３０を含む。少なくとも一つの連結機構部材２２８、２３０はハンドル１６内に回動的に搭載される。図２６及び２７に概略的に示された実施例は、例えば、第１の連結機構部材２２８及び第２の連結機構部材２３０を含む。各連結機構部材２２８、２３０は、第１の脚部２３２、第２の脚部２３４、及び、第１の脚部２３２と第２の脚部２３４との間に広がり、第１の脚部２３２と第２の脚部２３４に回動的に取り付けられた中央リンク２３６を含む。各連結機構部材２２８、２３０の第１の脚部２３２は、ベース２２２に取り付けられ、これにより、シェービング補助具本体１４に間接的に取り付けられる。各連結機構部材２２８、２３０の第２の脚部２３４は、ホルダー２２０に取り付けられ、これにより、剃刀カートリッジ１２に間接的に取り付けられる。第１の脚部２３２及び第２の脚部２３４は、或いは、シェービング補助具本体１４及び剃刀カートリッジ１２に、それぞれ、直接的に取り付けてもよい。各連結機構部材２２８、２３０の中央リンク２３６は、中央リンク２３６がハンドル１６と相対的に回動できるようにさせる回動ジョイント２３８を含む。図２６及び２７に示された実施例では、ハンドル１６に取り付けられたスタブアクスル２４０が中央リンク２３６に取り付けられたベアリングマウント２４２内に収容される。代わりに他のタイプの回動ジョイント２３８をハンドル１６と中央リンク２３６との間で使用してもよい。「剃刀組立体の動作」において後述するように、各連結機構部材２２８、２３０の中央リンク２３６の回転は、第１のアーム２３２及びシェービング補助具本体１４を第１の方向へ移動させ、第２のアーム２３４及び剃刀カートリッジを第１の方向とは実質的に反対である第２の方向へ移動させる。
【００５５】
［例６］
図２８−３７に示された実施例では、剃刀カートリッジ１２、シェービング補助具本体１４、剃刀カートリッジキャリッジ２５０、シェービング補助具本体キャリッジ２５２、ハンドル１６、及び、ハンドル１６に回動的に連結された連結機構部１８を含む剃刀組立体１０が提供される。剃刀カートリッジ１２は、フレーム２８に取り付けられた複数の剃刀刃２６及びガード３０を含む。
【００５６】
図２８−３３を参照すると、剃刀カートリッジキャリッジ（ＲＣキャリッジ）２５０は、フレーム２６０に回動的に搭載された第１のアーム２５６及び第２のアーム２５８と、アームを付勢する手段２６２と、剃刀カートリッジを付勢する手段２６４と、一対のアクチュエータステム２６６とを含む。第１のアーム２５６及び第２のアーム２５８は、一方が左手用であり、他方が右手用である点を除いて同じである。剃刀カートリッジ１２をアーム２５６、２５８へ回動的に取り付ける一つ以上の弓形に成形された形体２６８は、各アーム２５６、２５８の一端に取り付けられる。剃刀カートリッジ１２及びアーム２５６、２５８は、例１及び２において説明したものと同じ態様又は類似した態様でホルダー３６、７８と剃刀カートリッジ１２との間に取り付けられる。回動軸２７０は各アーム２５６、２５８の他端から延びる。アクチュエータステム２６６は、各アーム２５６、２５８に取り付けられ、各アーム２５６、２５８から外側方向へ延びる。ボタン状のパッド２７２は、各アクチュエータステム２６６の端に固定される。アームガイドフランジ開口２７４は各アーム２５６、２５８に設けられる。フレーム２６０は、一対のアーム開口２７６と、一対の下側リンク開口２７８と、一対の上側リンク開口２８０と、付勢用部材取付ブラケット２８２と、複数のポストガイドフランジ２８４と、複数のアームガイドフランジ２８６と、複数のフレームガイドフランジ２８８とを含む。アーム２５６、２５８を付勢する手段２６２は、各アームに作用し、アームを剃刀組立体１０の長さ方向の各端へ向けて、したがって、剃刀カートリッジ１２と係合するように付勢する一つ以上の付勢用部材を含む。図２８−３６に示された実施例では、一つ以上の付勢用部材は、第１の端２９２、第２の端２９４、及び、第１の端２９２と第２の端２９４との間に配置された取付形体２９６を有するリーフスプリング２９０と、一対のコイルスプリング２９８と、を含む。剃刀カートリッジ１２を付勢する手段２６４はポスト３００及び付勢用部材３０２（例えば、コイルスプリング）を含む。
【００５７】
ＲＣキャリッジ２５０は、後述するようにＳＡＢキャリッジ２５２内に摺動的に収容された単一組立体として組み立てられる。アーム２５６、２５８から延びる回動軸２７０は、フレーム２６０内に設けられたアーム開口２７６の一つに収容され、これにより、アーム２５６、２５８とフレーム２６０との間で回動運動が可能になる。フレーム２６０に取り付けられたアームガイドフランジ２８６は、アーム２５６、２５８内に設けられたアームガイドフランジ開口２７４内に収容される。図２９−３２に示された実施例では、リーフスプリング２９０の第１の端２９２は第１のアーム２５６に対して作用し、リーフスプリング２９０の第２の端２９４は第２のアーム２５８に対して作用し、これにより、アーム２５６、２５８を剃刀組立体１０の長さ方向のそれぞれの端へ向けて付勢する。取付形体２９６は、付勢用部材取付ブラケット２８２と係合され、これにより、フレーム２６０に取り付けられる。一方のコイルスプリング２９８は第１のアーム２５６とフレーム２６０との間に配置され、もう一方のコイルスプリング２９８は第２のアーム２５８とフレーム２６０との間に配置される。リーフスプリング２９０と同様に、コイルスプリング２９８は、アーム２５６、２５８を剃刀組立体１０の長さ方向のそれぞれの端へ向けて付勢する。アームを付勢する手段２６２の力に打ち勝つために十分である力をアクチュエータステム２６６に印加することにより、アーム２５６、２５８は、剃刀組立体１０の長さ方向の端から離れて内側へ回動させられる。アーム２５６、２５８の所定量の内向きの移動は、剃刀組立体１２とアーム２５６、２５８を外し、これにより、剃刀カートリッジ１２を解放する。逆に、アーム２５６、２５８の所定量の内向きの移動は、また、剃刀カートリッジ１２を剃刀組立体１０に取り付けることを可能にする。本実施例では、アクチュエータステム２６６はＲＣキャリッジ２５０に取り付けられるので、アクチュエータステムはＲＣキャリッジ２５０と共に動き、したがって、ハンドル１６と相対的に移動する。剃刀カートリッジ１２を付勢する手段２６４のポスト３００の部分は、複数のポストガイドフランジ２８４の間に摺動的に配置される。剃刀カートリッジ１２を付勢する手段２６４の付勢用部材３０２の部分は、フレーム２６０とポスト３００との間で作用する。剃刀カートリッジ１２を付勢する手段２６４は上記のものと同様に動作し、例えば、それは、剃刀カートリッジ１２を所定の位置まで付勢し、剃刀カートリッジ１２のアーム２５６、２５８に対する回転を抑える。
【００５８】
シェービング補助具本体１４は上記のものと同一であるか、若しくは、類似し、例えば、長円形の形状であり、接触面１５と、剃刀カートリッジ１２を収容する中央開口１９と、を有する。シェービング補助具本体１４は、インサート成形、インサートモールディング、ボンディング、機械的形体などのような取り付け手段によってベース２５４に取り付けられる。ベース２５４は、ベース２５４をＳＡＢキャリッジ２５２へ取り付けるための一つ以上の機械的形体２５５（例えば、ポスト、タブ、ピンなど）を含む。
【００５９】
図３６を参照するに、ＳＡＢキャリッジ２５２は、鍔部３０４と、一対の第１のポスト３０６と、一対の第２のポスト３０８と、一対のガイド溝３１０とを含む。鍔部３０４は、中央開口３１２と、ベース２５４に取り付けられた形体２５５と係合する一つ以上の形体３１４とを含む。図３６において、形体３１４は、ベース２５４から延びるオス型形体２５５を収容する開口として示されている。代わりに別の取り付け配置を利用してもよい。第１のポスト３０６及び第２のポスト３０８は、鍔部３０４から外向きに延び、それぞれは開口３１６を含む。第１のポスト３０６の長さは第２のポスト３０８の長さよりも長い。第１のポスト３０６及び第２のポスト３０８は、中央開口３１２の幅方向のそれぞれの側方に配置される。ガイド溝３１０の一つ一つは中央開口３１２の長さ方向の各側方に配置される。
【００６０】
図２９−３１及び図３７を参照すると、連結機構部１８は４本のリンク３１８を含み、各リンクは、ＳＡＢキャリッジ回転軸３２０、ＲＣキャリッジ回転軸３２２、及び、ハウジング回転軸３２４を有する。ＳＡＢキャリッジ回転軸３２０は各リンク３１８の一端から外向きに延び、ＲＣキャリッジ回転軸３２２は各リンク３１８の反対側の端から外向きに延び、ハウジング回転軸３２４は、他の２本の回転軸３２０と３２２の間の点でリンク３１８から外向きに延びる。ハウジング回転軸３２４は各リンク３１８の一方側に配置される。ＳＡＢキャリッジ回転軸３２０及びＲＣキャリッジ回転軸３２２は、ハウジング回転軸３２４とは反対側のリンク３１８のもう一方側に配置される。
【００６１】
組み立てられたとき、ＲＣキャリッジ２５０は、ＳＡＢキャリッジ２５２の中央開口３１２内に摺動的に収容される。フレームガイドフランジ２８８は、中央開口の長さ方向の各端にあるガイド溝３１０内に収容される。ＲＣキャリッジ２５２の片側には２本のリンク３１８が配置され、各リンクはＲＣキャリッジ２５０とＳＡＢキャリッジ２５２との間に延びる。片側の２本のリンク３１８のうちの一方は第１のポスト３０６と下側リンク開口２７８との間に延びる。同じ側の２本のリンク３１８のうちのもう一方は第２のポストと上側リンク開口２８０との間に延びる。何れの場合も、ＳＡＢキャリッジ回転軸３２０はそれぞれのポスト３０６、３０８の開口３１６に配置され、ＲＣキャリッジ回転軸３２２はそれぞれのリンク開口２７８、２８０に配置される。組み立てられたとき、リンク３１８は、ＳＡＢキャリッジ２５２とＲＣキャリッジ２５０との間に延びるはさみ型の連結機構部を形成する。連結機構部１８によって可能にされるＳＡＢキャリッジとＲＣキャリッジの動きは、以下の「剃刀組立体の動作」において詳述される。
【００６２】
ハンドル１６は、ＲＣキャリッジ２５０とＳＡＢキャリッジ２５２を少なくとも部分的に収容する内部空洞１７を含む。ハンドル１６の外装は上記の外装と類似している。内部空洞１７において、ハンドル１６は、片側に一つずつの一対のベアリングマウント３２６を含み、同じ側に配置されたリンク３１８のハウジング回転軸３２４を収容する。一部の実施例では、ＲＣキャリッジ２５０、ＳＡＢキャリッジ２５２及びハンドル１６の内部の素子のサイジングは、僅かな締まりばめが形成されるようなサイジングである。締まりばめは、剃刀カートリッジ１２とシェービング補助具本体１４との間の動きを僅かに妨げるが、阻止することはない。その結果として、剃刀カートリッジ１２とシェービング補助具本体１４の相対位置を保つことが可能である。
【００６３】
様々な回転軸とベアリングマウントすなわち開口との間の回動式連結は、本例では、オス型とメス型のペアをはめ合わせるという観点で説明されている。代替的な実施例では、はめ合わせるオス型／メス型のペアのオス型半分を有するような上記の素子はそのペアのメス型半分を組み込むことが可能であり、その逆もまた可能であり、或いは、その他のタイプの回動式配置も可能である。上述のように、シェービング補助具本体１４、ベース２５４、剃刀カートリッジ１２、及び、ホルダー２２０のうちの一つ以上は、独立した交換可能なカートリッジ、又は、それらの組み合わせの形をした交換カートリッジとして設けることが可能である。
【００６４】
［剃刀組立体の動作］
上記の例に記載された様々な実施例を含む剃刀組立体の動作中に、剃刀カートリッジ１２は、典型的には最初に、剃刀カートリッジ１２内の一つ以上の剃刀刃２６の刃先３１が新しいシェービング補助具本体の接触面とほぼ同一平面上にあるように位置合わせされる。使用中に、剃刀組立体１０は水にさらされ、剃刀組立体１０は剃られる表面に沿って引かれる。その結果として、シェービング補助具本体は、摩滅を開始し、例えば、剃られる表面のための潤滑性媒介物を生じる。シェービング補助具本体１４が剃刀カートリッジ１２を取り囲む長円形本体である好ましい実施例では、シェービング補助具本体１４は、ユーザのストローク方向とは無関係にシェービング補助材料を堆積させる。ユーザが剃るとき、シェービング補助具本体１４の摩滅は、本体１４の高さを低下させる。シェービング補助具本体１４の高さの変化を考慮する機構がない場合、剃刀カートリッジ１２が直ぐに現れ、特に、シェービング補助具本体１４によって与えられる潤滑機能が妨げられるであろう。
【００６５】
本発明の剃刀組立体１０は、有利的には、シェービング補助具本体１４及び剃刀カートリッジ１２に、シェービング補助具本体１４の接触面１５と剃刀カートリッジ１２の剃刀刃との間で初期の姿勢を維持させることが可能である。ユーザによって加えられる力は、剃られる表面と接触した剃刀カートリッジ１２及びシェービング補助具本体１４のこれらの部分にほぼ配分れる。シェービング補助具本体１４が摩滅し、シェービング補助具本体１４の接触面１５がその結果としてハンドル１６に接近するとき、シェービング補助具本体１４と剃刀カートリッジ１２の相対位置は変化する（例えば、図９−１２を参照のこと）。しかし、剃刀カートリッジ１２とシェービング補助具本体１４の接触面１５の姿勢は変化しない。剃刀組立体１０に加わる力は、剃刀カートリッジ１２をハンドル１６の内側へ向けて移動させ、連結機構部１８を回動させる。連結機構部１８の回動式（すなわち、「シーソー」のような）運動は、シェービング補助具本体１４をハンドル１６の内部から離れる方へ、すなわち、剃刀カートリッジ１２の動きの方向と実質的に反対の方向へ移動させる。その結果として、接触面１５は、剃刀カートリッジ１２内の一つ以上の剃刀刃２６の刃先３１とほぼ同一平面上に保たれる。図１−９を参照すると、例１に開示された実施例に関して、ハンドル１６の内部へ向かう剃刀カートリッジ１２の動きは、連結機構部材５８、６０を、連結機構ポスト７４と中央開口６８との間に形成されたハンドル回動点の周りで回動させる。連結機構部材５８、６０の回動は、次に、ベース５０、及び、取り付けられたシェービング補助具本体１４をハンドル１６の内部から離れる方へ、すなわち、剃刀カートリッジ１２の動きの方向と実質的に反対の方向へ移動させる。その結果として、接触面１５は、剃刀カートリッジ１２内の剃刀刃２６の刃先３１とほぼ同一平面上に保たれる。このようにして、シェービング補助具本体１４と剃刀カートリッジ１２の位置は、交換可能なカートリッジ１２の耐用期間中、ほぼ同一平面上の姿勢に保つため、継続的に調整される。シェービング補助具本体１４と剃刀カートリッジ１２との間の相対運動は、連結機構ポスト７４に取り付けられたストップタブ７６が中央フランジ７０内の張り出しスロット７２の片側に接触するまで可能である。張り出しスロット７０の幅は、シェービング補助具本体１４の摩滅し得る高さと適合するスロット７０内のストップタブ７６による移動量を許容するため選ばれる。
【００６６】
次に図１、２及び９−２２を参照すると、例２に開示された実施例に関して、剃刀カートリッジ１２のハンドル１６の内部へ向かう動きは、ホルダー７８及びＲＣキャリッジ１４０をハンドル１６の内部へ向けて移動させる。このＲＣキャリッジ１４０の動きは、回動リンク１３６をハンドル１６と相対的に回動させる（すなわち、ハンドル回動軸１４２は、ハンドル１６に対して同じ位置を保ち、回動する）。回動リンク１３６の回転は、次に、ＳＡＢキャリッジ１３８、ベース８０、及び、取り付けられたシェービング補助具本体１４を、ハンドル１６の内部から離れる方向へ、すなわち、剃刀カートリッジ１２の移動とは実質的に反対の方向へ移動させる。その結果として、シェービング補助具本体１４と剃刀カートリッジ１２の位置は、交換可能なカートリッジ１２８の耐用期間中、ほぼ同一平面上の姿勢に保つため、継続的に調整される。シェービング補助具本体１４と剃刀カートリッジ１２との間の相対運動は、ＲＣキャリッジ１４０内に配置された移動スロット１８０の端に接触する回動リンク１３６の回動軸１４２によって制限される。
【００６７】
次に図２３及び２４を参照すると、例３に開示された実施例に関して、剃刀カートリッジ１２のハンドル１６の内部へ向かう動きは、ホルダー７８及びＲＣキャリッジ１４０をハンドル１６の内部へ向けて移動させる。このＲＣキャリッジ１４０の動きは、回動リンク１９０及び取り付けられた回動ローラー１９２をハンドル１６と相対的に回動させる（すなわち、ハンドル回動軸１４２は、ハンドル１６に対して同じ位置を保ち、回動する）。回動ローラー１９２の回転は、次に、ＳＡＢキャリッジ１３８、ベース８０、及び、取り付けられたシェービング補助具本体１４を、ハンドル１６の内部から離れる方向へ、すなわち、剃刀カートリッジ１２の移動とは実質的に反対の方向へ移動させる。その結果として、シェービング補助具本体１４と剃刀カートリッジ１２の位置は、交換可能なカートリッジ１２８の耐用期間中、ほぼ同一平面上の姿勢に保つため、継続的に調整される。上述のように、回動ローラー１９２とローラーレール１９４、１９６を相互に係合するため用いられる機構は、多種多様な形式（例えば、歯車、突出部、摩擦材料など）を考えることができるので、本発明は列挙された例に限定されない。
【００６８】
次に図２５を参照すると、例４に開示された実施例に関して、剃刀カートリッジ１２のハンドル１６の内部へ向かう動きは、ホルダー１９８をハンドル１６の内部へ向けて移動させる。このホルダー１９８の動きは、取り付けられた連結機構部材２０６、２０８をハンドル１６と相対的に移動させる（すなわち、チャネル２１２、２１４の中を移動させる）。連結機構部材２０６、２０８の移動は、次に、ベース２００、及び、取り付けられたシェービング補助具本体１４を、ハンドル１６の内部から離れる方向へ、すなわち、剃刀カートリッジ１２の移動とは実質的に反対の方向へ移動させる。その結果として、シェービング補助具本体１４と剃刀カートリッジ１２の位置は、剃刀カートリッジ１２とシェービング補助具本体１４の耐用期間中、ほぼ同一平面上の姿勢に保つため、継続的に調整される。
【００６９】
次に図２６及び２７を参照すると、例５に開示された実施例に関して、剃刀カートリッジ１２の第１の方向の動き、例えば、ハンドル１６の内部へ向かう動きは、ホルダー２２０を同じ方向へ移動させる。このホルダー２２０の動きは、取り付けられた連結機構部材２２８、２３０をハンドル１６と相対的に移動させる。連結機構部材２２８、２３０の移動は、次に、ベース２２２、及び、取り付けられたシェービング補助具本体１４を、第１の方向とは反対である第２の方向へ、例えば、ハンドル１６の内部から離れる方向へ移動させる。その結果として、シェービング補助具本体１４と剃刀カートリッジ１２の位置は、剃刀カートリッジ１２とシェービング補助具本体１４の耐用期間中、ほぼ同一平面上の姿勢に保つため、継続的に調整される。
【００７０】
図２８−３７を参照すると、例６に開示された実施例に関して、剃刀カートリッジ１２の第１の方向の動き、例えば、ハンドル１６の内部へ向かう動きは、リンク３１８を、ハンドルベアリングマウント３２６内に収容されたハウジング回転軸３２４の周りに回動させる。リンク３１８の回動は、次に、次に、ベース２５４、及び、取り付けられたシェービング補助具本体１４を、第１の方向とは反対である第２の方向へ、すなわち、ハンドル１６の内部空洞１７から離れる方向へ移動させる。その結果として、接触面１５は、剃刀カートリッジ１２内の剃刀刃の刃先とほぼ同一平面上に保たれる。このようにして、シェービング補助具本体１４と剃刀カートリッジ１２の位置は、交換可能なカートリッジ１２の耐用期間中、ほぼ同一平面上の姿勢に保つため、継続的に調整される。
【００７１】
本発明は、その詳細な実施例に関して明らかにされ説明されているが、当業者によって理解されるように、本発明の形式及び細部の様々な変更は本発明の精神及び範囲を逸脱することなくなされる。
【図面の簡単な説明】
【００７２】
【図１】本発明の剃刀組立体の側面図である。
【図２】ハンドルが取り付けられていない本発明の剃刀組立体の一実施例の斜視図である。
【図３】ホルダーに取り付けられた剃刀カートリッジの斜視図である。
【図４】ベースに取り付けられたシェービング補助具本体の斜視図である。
【図５】連結機構部材の斜視図である。
【図６】シェービング補助具本体、ベース、連結機構部、ホルダー、及び、剃刀カートリッジを含む交換カートリッジの斜視図である。
【図７】図６に示された交換カートリッジの正面図である。
【図８】図７に示された交換カートリッジの線８−８による断面図であり、ハンドルの一部が示されている。
【図９】摩滅していない状態のシェービング補助具本体を備えた本発明の剃刀組立体の一実施例の断面図である。
【図１０】図９の線１０−１０による断面図である。
【図１１】摩滅した状態のシェービング補助具本体を備えた本発明の剃刀組立体の一実施例の断面図である。
【図１２】図１１の線１２−１２による断面図である。
【図１３】ホルダーの斜視図である。
【図１４】交換カートリッジの斜視図である。
【図１５】交換カートリッジの断面図である。
【図１６】図１５に示された交換カートリッジの線１６−１６による断面図である。
【図１７】ベースの斜視図である。
【図１８】ハンドルが取り付けられていない本発明の剃刀組立体の一実施例に斜視図である。
【図１９】連結機構部材の斜視図である。
【図２０】シェービング補助具本体キャリッジの斜視図である。
【図２１】シェービング補助具本体キャリッジの斜視図である。
【図２２】剃刀カートリッジキャリッジの斜視図である。
【図２３】摩滅した状態のシェービング補助具本体を備えた本発明の剃刀組立体の一実施例の断面図である。
【図２４】図２３の線２４−２４による断面図である。
【図２５】本発明の剃刀組立体の一実施例の概略図である。
【図２６】本発明の剃刀組立体の一実施例の概略図である。
【図２７】異なる位置にある連結機構部を示す図２６に示された実施例の概略図である。
【図２８】本発明の剃刀組立体の一実施例の概略図である。
【図２９】図２８に示された剃刀組立体の実施例の一部分の概略図である。
【図３０】剃刀カートリッジ又はシェービング補助具本体が示されていない図２９の概略図の反対側の側面図である。
【図３１】異なる相対位置にあるＲＣキャリッジ及びＳＡＢキャリッジが示されている図２８の剃刀組立体の実施例の一部分の概略図である。
【図３２】図３１に示された概略図の反対側の側面図である。
【図３３】アームの斜視図である。
【図３４】フレームの斜視図である。
【図３５】ポストの斜視図である。
【図３６】ＳＡＢキャリッジの斜視図である。
【図３７】リンクの斜視図である。
【図１】
2005523137.tif 000003
【図２】
2005523137.tif 000004
【図３】
2005523137.tif 000005
【図４】
2005523137.tif 000006
【図５】
2005523137.tif 000007
【図６】
2005523137.tif 000008
【図７】
2005523137.tif 000009
【図８】
2005523137.tif 000010
【図９】
2005523137.tif 000011
【図１０】
2005523137.tif 000012
【図１１】
2005523137.tif 000013
【図１２】
2005523137.tif 000014
【図１３】
2005523137.tif 000015
【図１４】
2005523137.tif 000016
【図１５】
2005523137.tif 000017
【図１６】
2005523137.tif 000018
【図１７】
2005523137.tif 000019
【図１８】
2005523137.tif 000020
【図１９】
2005523137.tif 000021
【図２０】
2005523137.tif 000022
【図２１】
2005523137.tif 000023
【図２２】
2005523137.tif 000024
【図２３】
2005523137.tif 000025
【図２４】
2005523137.tif 000026
【図２５】
2005523137.tif 000027
【図２６】
2005523137.tif 000028
【図２７】
2005523137.tif 000029
【図２８】
2005523137.tif 000030
【図２９】
2005523137.tif 000031
【図３０】
2005523137.tif 000032
【図３１】
2005523137.tif 000033
【図３２】
2005523137.tif 000034
【図３３】
2005523137.tif 000035
【図３４】
2005523137.tif 000036
【図３５】
2005523137.tif 000037
【図３６】
2005523137.tif 000038
【図３７】
2005523137.tif 000039
【国際調査報告】
2005523137.tif 000040
2005523137.tif 000041
2005523137.tif 000042
2005523137.tif 000043
2005523137.tif 000044
2005523137.tif 000045
2005523137.tif 000046